(57)【特許請求の範囲】
【請求項１】
３Ｄデータの入力を受け、前記３Ｄデータを含む３Ｄ入力フレームを左目データフレームと右目データフレームに分離する段階と、
前記左目データフレームを原本左目データフレームと複写本左目データフレームに、前記右目データフレームを原本右目データフレームと複写本右目データフレームにダブリングすると共に、前記原本左目データフレームと前記原本右目データフレームの表示タイミングに同期してフラッグビットを第１論理で発生し、前記複写本左目データフレームと前記複写本右目データフレームの表示タイミングに同期して前記フラッグビットを第２論理で発生する段階と、
前記原本左目データフレームをその直前に配置された前記複写本右目データフレームに基づいて第１左目データフレームに変調し、前記複写本左目データフレームをその直前に配置された前記原本左目データフレームに基づいて第２左目データフレームに変調し、前記原本右目データフレームをその直前に配置された前記複写本左目データフレームに基づいて第１右目データフレームに変調し、前記複写本右目データフレームをその直前に配置された前記原本右目データフレームに基づいて第２右目データフレームに変調する段階と、
前記フラッグビットの第１論理によって前記第１左目データフレームと前記第１右目データフレームを選択し、前記フラッグビットの第２論理によって前記第２左目データフレームと前記第２右目データフレームをブラックフレームに置き換える段階と、
前記第１左目データフレームと前記第１右目データフレームと前記ブラックフレームからなる最終変調フレームのデータを表示パネルに表示する段階と
を含む立体映像表示装置の駆動方法。
【請求項２】
前記左目データフレームと右目データフレームは、メモリを利用したデータコピーを通じてダブリングされる
ことを特徴とする、請求項１記載の立体映像表示装置の駆動方法。
【請求項３】
前記左目データフレームと右目データフレームのデータタイミングは前記３Ｄ入力フレームの入力フレーム周波数対比２倍で逓倍されたフレーム周波数に同期され、前記原本左目データフレームと複写本左目データフレームと原本右目データフレームと複写本右目データフレームのデータタイミングは前記入力フレーム周波数対比４倍で逓倍されたフレーム周波数に同期される
ことを特徴とする、請求項１または２記載の立体映像表示装置の駆動方法。
【請求項４】
前記変調する段階は、ルックアップテーブルを参照にしたＯＤＣ変調方法を通じて実行される
ことを特徴とする、請求項１から３までのいずれか１項記載の立体映像表示装置の駆動方法。
【請求項５】
前記変調する段階は、
前フレームのデータと現在フレームのデータを比較する段階と、
前記前フレームのデータと現在フレームのデータの間の変化を検出する段階と、
前記ルックアップテーブルから前記検出された結果に対応される補償値を読み出しする段階と、
前記読み出された補償値で前記現在フレームのデータを償う段階と
を含むことを特徴とする、請求項４記載の立体映像表示装置の駆動方法。
【請求項６】
前記最終変調フレームのデータを前記表示パネルに表示する前に４フレームインバージョン方式で前記最終変調フレームのデータ極性を反転させる段階をさらに含む
ことを特徴とする、請求項１から５までのいずれか１項記載の立体映像表示装置の駆動方法。
【請求項７】
３Ｄデータの入力を受け、前記３Ｄデータを含む３Ｄ入力フレームを左目データフレームと右目データフレームに分離するデータ分離部と、
前記左目データフレームを原本左目データフレームと複写本左目データフレームに、前記右目データフレームを原本右目データフレームと複写本右目データフレームにダブリングすると共に、前記原本左目データフレームと前記原本右目データフレームの表示タイミングに同期してフラッグビットを第１論理で発生し、前記複写本左目データフレームと前記複写本右目データフレームの表示タイミングに同期して前記フラッグビットを第２論理で発生するデータダブリング部と、
前記原本左目データフレームをその直前に配置された前記複写本右目データフレームに基づいて第１左目データフレームに変調し、前記複写本左目データフレームをその直前に配置された前記原本左目データフレームに基づいて第２左目データフレームに変調し、前記原本右目データフレームをその直前に配置された前記複写本左目データフレームに基づいて第１右目データフレームに変調し、前記複写本右目データフレームをその直前に配置された前記原本右目データフレームに基づいて第２右目データフレームに変調するデータ変調部と、
前記フラッグビットの第１論理によって前記第１左目データフレームと前記第１右目データフレームを選択し、前記フラッグビットの第２論理によって前記第２左目データフレームと前記第２右目データフレームをブラックフレームで置き換えて前記第１左目データフレームと前記第１右目データフレームと前記ブラックフレームからなる最終変調フレームのデータを出力する選択部と
を備える立体映像表示装置の制御回路。
【請求項８】
表示パネルと、
３Ｄデータの入力を受け、前記３Ｄデータを含む３Ｄ入力フレームを左目データフレームと右目データフレームに分離するデータ分離部と、
前記左目データフレームを原本左目データフレームと複写本左目データフレームに、前記右目データフレームを原本右目データフレームと複写本右目データフレームにダブリングすると共に、前記原本左目データフレームと前記原本右目データフレームの表示タイミングに同期してフラッグビットを第１論理で発生し、前記複写本左目データフレームと前記複写本右目データフレームの表示タイミングに同期して前記フラッグビットを第２論理で発生するデータダブリング部と、
前記原本左目データフレームをその直前に配置された前記複写本右目データフレームに基づいて第１左目データフレームに変調し、前記複写本左目データフレームをその直前に配置された前記原本左目データフレームに基づいて第２左目データフレームに変調し、前記原本右目データフレームをその直前に配置された前記複写本左目データフレームに基づいて第１右目データフレームに変調し、前記複写本右目データフレームをその直前に配置された前記原本右目データフレームに基づいて第２右目データフレームに変調するデータ変調部と、
前記フラッグビットの第１論理によって前記第１左目データフレームと前記第１右目データフレームを選択し、前記フラッグビットの第２論理によって前記第２左目データフレームと前記第２右目データフレームをブラックフレームに置き換え前記第１左目データフレームと前記第１右目データフレームと前記ブラックフレームからなる最終変調フレームのデータを出力する選択部と、
前記最終変調フレームのデータを前記表示パネルに供給するパネルドライバと
を備える立体映像表示装置。
【請求項９】
前記データダブリング部は、前記左目データフレームと右目データフレームをメモリを利用したデータコピーを通じてダブリングする
ことを特徴とする、請求項８記載の立体映像表示装置。
【請求項１０】
前記データ分離部は、前記左目データフレームと右目データフレームのデータタイミングを前記３Ｄ入力フレームの入力フレーム周波数対比２倍に逓倍されたフレーム周波数に同期させ、
前記データダブリング部は、前記原本左目データフレームと複写本左目データフレームと原本右目データフレームと複写本右目データフレームのデータタイミングを前記入力フレーム周波数対比４倍に逓倍されたフレーム周波数に同期させる
ことを特徴とする、請求項８または９記載の立体映像表示装置。
【請求項１１】
前記データダブリング部から入力される前記原本左目データフレーム、前記複写本左目データフレーム、前記原本右目データフレーム、前記複写本右目データフレームを一フレームずつ貯蔵するためのフレームメモリをさらに備える
ことを特徴とする、請求項８から１０までのいずれか１項記載の立体映像表示装置。
【請求項１２】
現在フレームと前フレームの間データ比較を通じて選択される補償値を貯蔵するためのルックアップテーブルをさらに備え、
前記データ変調部は、前記前フレームのデータと現在フレームのデータを比べて、前記前フレームのデータと現在フレームのデータの間の変化を検出し、前記ルックアップテーブルから前記検出された結果に対応される補償値を読み出しした後、前記読み出された補償値で前記現在フレームのデータを償う
ことを特徴とする、請求項８から１１までのいずれか１項記載の立体映像表示装置。
【請求項１３】
前記パネルドライバは、前記表示パネルのデータラインを駆動するためのデータドライバと、前記表示パネルのゲートラインを駆動するためのゲートドライバを含む
ことを特徴とする、請求項８から１２までのいずれか１項記載の立体映像表示装置。
【請求項１４】
前記データドライバは、４フレームインバージョン方式で前記最終変調フレームのデータ極性を反転させる
ことを特徴とする、請求項１３記載の立体映像表示装置。
【発明の詳細な説明】
【技術分野】
【０００１】
本発明は、立体映像表示装置及びその駆動方法に関する。
【背景技術】
【０００２】
最近、多様な映像映像処理技術の発展に基づいて３次元立体映像(以下、‘３Ｄ映像’)を具現することができる立体映像表示装置が開発されている。
【０００３】
３Ｄ映像を具現する方式は大きく両眼視差方式(stereoscopic technique)または複合視差知覚方式(autostereoscopic technique)で分けられる
【０００４】
両眼視差方式は立体効果が大きい左右目の視差映像を利用し、眼鏡方式と無眼鏡方式があって二つの方式皆実用化されている。無眼鏡方式は一般的に左右視差映像の光軸を分離するためのパララックスバリヤなどの光学板を表示画面の前にまたは後に設置する方式である。眼鏡方式は液晶表示パネルに偏光方向が互いに異なる左右時差映像を表示し、偏光眼鏡または液晶シャッター眼鏡を使って立体映像を具現する。
【０００５】
眼鏡方式は大きくパターンドリターフィルムと偏光眼鏡を利用する第１偏光フィルタ方式と、スイッチング液晶層と偏光眼鏡を利用した第２偏光フィルタ方式と、液晶シャッター眼鏡方式に分けられる。第１及び第２偏光フィルタ方式では偏光フィルタ役目のために液晶表示パネル上に配置されたパターンドリターフィルムまたはスイッチング液晶層によって３Ｄ映像の透過率が低い。
【０００６】
液晶シャッター眼鏡方式は表示素子に左目映像と右目映像をフレーム単位で交互に表示しこの表示タイミングに同期して液晶シャッター眼鏡の左右目シャッターを開閉することで３Ｄ映像を具現する。液晶シャッター眼鏡は左目映像が表示される第ｎフレーム期間の間その左目シャッターのみを開放し、右目映像が表示される第ｎ＋１フレーム期間の間その右目シャッターのみを開放することで時分割方式で両眼視差を作り出す。
【０００７】
立体映像表示装置で映像を表示する表示素子では液晶表示装置(Liquid Crystal Display、ＬＣＤ)が主に利用される。ホールドタイプ(Hold type)表示素子である液晶表示装置は液晶の維持特性上新しいデータが記入される直前までその前のフレームに充電されたデータを維持する。液晶はデータ記入に対応してその応答特性が遅延される。液晶の応答特性遅延によって、立体映像表示装置を通じて３Ｄ映像具現の時左目映像から右目映像に変わる時間または右目映像から左目映像に変わる時間でブルーリング(bluring)が発生しゴースト形態の３Ｄクロストーク(Crosstalk)が現われる。
【０００８】
２次元映像(以下、‘２Ｄ映像’)を対象で液晶の応答特性を向上させるための色々方式が知られている。
【０００９】
過駆動(Over Driving Control、以下 ‘ＯＤＣ’) 変調方式は前フレームデータと現在フレームデータを比べ、その比較結果によるデータの変化を判断しその判断結果に対応する補償値をメモリから読み出して、読み出しされた補償値で入力データを変調する。例えば、ＯＤＣ変調方式は図１のように前フレームデータが“１２７”であって現在フレームデータが“１９１”の場合現在フレームデータを“１９１”より高い“２２３”に変調し、反対に前フレームデータが“１９１”であって現在フレームデータが“６３”の場合現在フレームデータを“６３”より低い“３１”に変調することで液晶の応答特性を高める。
【００１０】
また、ブラックデータ挿入(Black Data Insertion、以下‘ＢＤＩ’) 方式は隣合う入力データフレームの間にブラックフレームを挿入してブルーリング現象を改善することで液晶の応答特性を高める。
【００１１】
３Ｄクロストークを改善するため、図２のように液晶の応答特性を向上させるための前述した方式の適用が考慮されている。図２で、第ｎ−２フレーム（Ｆｎ−２）は左目映像が表示される左目データフレームを、 第ｎフレーム(Fn)は右目映像が表示される右目データフレームを、第ｎ−１フレーム（Ｆｎ−１）はブラック映像が表示されるブラックフレームをそれぞれ示す。
【００１２】
しかし、３Ｄ映像にＢＤＩ方式を適用する場合、左目データフレームまたは右目データフレームの直前フレームはいつもブラックフレームであるから、既存のＯＤＣロジッグ及び補償値では３Ｄクロストーク現象を効果的に改善しにくい。例えば、図２のようにブラックフレームである第ｎ−１フレーム（Ｆｎ−１)を間に置いて左目/右目データフレームである第ｎ−２フレーム（Ｆｎ−２）と第ｎフレーム（Ｆｎ)が配置した後既存のＯＤＣ変調方式を適用すれば、ターゲット階調値がフレーム単位で“１８０”―“０”―“１５０”手順に変わる場合（Ａ）と“２５５”―“０”―“１５０”手順に変わる場合（Ｂ）において第ｎフレーム（Ｆｎ＿ターゲット階調値“１５０”）で表示輝度が互いに変わる。（Ａ）及び（Ｂ）場合それぞれでは、“０”から“１５０”にターゲット階調値が変わることに対応して第ｎフレーム（Ｆｎ）での ＯＤ値を“１８０”で同一に適用する。しかし、液晶の応答特性遅延によって表示映像が特定階調レベルで完全なブラックレベルに落ちるのに所要される時間が一フレームより長くなれば、完全なブラック映像にならない状態で右目(または左目)映像が表示されるようになる。第ｎフレーム（Ｆｎ）で右目映像表示のための液晶のライジング時点に対応される初期輝度（Ｄｉ）は第ｎ−２フレーム（Ｆｎ−２）と第ｎ−１フレーム（Ｆｎ−１）の間階調の差に比例するので、（Ｂ）場合が（Ａ）場合に比べて高い。
【発明の概要】
【発明が解決しようとする課題】
【００１３】
しかし、前記のように輝度偏差を無くすためには右目(または左目) データフレームのデータをＯＤＣ変調するにおいて必ず左目(または右目)データフレームの階調値を参照しなければならない。しかし、現在としてはデータフレームの間ごとにブラックフレームを挿入した以後にＯＤＣ変調を実施するから、右目データフレームのデータをＯＤＣ変調するにおいて左目データフレームの階調値を参照するのが不可能であるという問題があった。
【００１４】
そこで、本発明は、前記問題に鑑みてなされたものであり、本発明の目的とするところは、輝度偏差の誘発なしに３Ｄクロストークを取り除くようにした立体映像表示装置及びその駆動方法を提供するのことにある。
【課題を解決するための手段】
【００１５】
前記課題を解決するために、本発明に係る立体映像表示装置の駆動方法は、３Ｄデータの入力を受け、前記３Ｄデータを含む３Ｄ入力フレームを左目データフレームと右目データフレームに分離する段階と、前記左目データフレームを原本左目データフレームと複写本左目データフレームに、前記右目データフレームを原本右目データフレームと複写本右目データフレームにダブリングすると共に、前記原本左目データフレームと前記原本右目データフレームの表示タイミングに同期してフラッグビットを第１論理で発生し、前記複写本左目データフレームと前記複写本右目データフレームの表示タイミングに同期して前記フラッグビットを第２論理で発生する段階と、前記原本左目データフレームをその直前に配置された前記複写本右目データフレームに基づいて第１左目データフレームに変調し、前記複写本左目データフレームをその直前に配置された前記原本左目データフレームに基づいて第２左目データフレームに変調し、前記原本右目データフレームをその直前に配置された前記複写本左目データフレームに基づいて第１右目データフレームに変調し、前記複写本右目データフレームをその直前に配置された前記原本右目データフレームに基づいて第２右目データフレームに変調する段階と、前記フラッグビットの第１論理によって前記第１左目データフレームと前記第１右目データフレームを選択し、前記フラッグビットの第２論理によって前記第２左目データフレームと前記第２右目データフレームをブラックフレームに置き換える段階と、前記第１左目データフレームと前記第１右目データフレームと前記ブラックフレームからなる最終変調フレームのデータを表示パネルに表示する段階とを含む。
また、本発明に係る立体映像表示装置の制御回路は、３Ｄデータの入力を受け、前記３Ｄデータを含む３Ｄ入力フレームを左目データフレームと右目データフレームに分離するデータ分離部と、前記左目データフレームを原本左目データフレームと複写本左目データフレームに、前記右目データフレームを原本右目データフレームと複写本右目データフレームにダブリングすると共に、前記原本左目データフレームと前記原本右目データフレームの表示タイミングに同期してフラッグビットを第１論理で発生し、前記複写本左目データフレームと前記複写本右目データフレームの表示タイミングに同期して前記フラッグビットを第２論理で発生するデータダブリング部と、前記原本左目データフレームをその直前に配置された前記複写本右目データフレームに基づいて第１左目データフレームに変調し、前記複写本左目データフレームをその直前に配置された前記原本左目データフレームに基づいて第２左目データフレームに変調し、前記原本右目データフレームをその直前に配置された前記複写本左目データフレームに基づいて第１右目データフレームに変調し、前記複写本右目データフレームをその直前に配置された前記原本右目データフレームに基づいて第２右目データフレームに変調するデータ変調部と、前記フラッグビットの第１論理によって前記第１左目データフレームと前記第１右目データフレームを選択し、前記フラッグビットの第２論理によって前記第２左目データフレームと前記第２右目データフレームをブラックフレームで置き換えて前記第１左目データフレームと前記第１右目データフレームと前記ブラックフレームからなる最終変調フレームのデータを出力する選択部と
を備える。
さらに、本発明に係る立体映像表示装置は、表示パネルと、３Ｄデータの入力を受け、前記３Ｄデータを含む３Ｄ入力フレームを左目データフレームと右目データフレームに分離するデータ分離部と、前記左目データフレームを原本左目データフレームと複写本左目データフレームに、前記右目データフレームを原本右目データフレームと複写本右目データフレームにダブリングすると共に、前記原本左目データフレームと前記原本右目データフレームの表示タイミングに同期してフラッグビットを第１論理で発生し、前記複写本左目データフレームと前記複写本右目データフレームの表示タイミングに同期して前記フラッグビットを第２論理で発生するデータダブリング部と、前記原本左目データフレームをその直前に配置された前記複写本右目データフレームに基づいて第１左目データフレームに変調し、前記複写本左目データフレームをその直前に配置された前記原本左目データフレームに基づいて第２左目データフレームに変調し、前記原本右目データフレームをその直前に配置された前記複写本左目データフレームに基づいて第１右目データフレームに変調し、前記複写本右目データフレームをその直前に配置された前記原本右目データフレームに基づいて第２右目データフレームに変調するデータ変調部と、前記フラッグビットの第１論理によって前記第１左目データフレームと前記第１右目データフレームを選択し、前記フラッグビットの第２論理によって前記第２左目データフレームと前記第２右目データフレームをブラックフレームに置き換え前記第１左目データフレームと前記第１右目データフレームと前記ブラックフレームからなる最終変調フレームのデータを出力する選択部と、前記最終変調フレームのデータを前記表示パネルに供給するパネルドライバとを備える。
【発明の効果】
【００１６】
以上説明したように、本発明に係る立体映像表示装置及びその駆動方法は、３Ｄ映像にＢＤＩ方式を適用する時第ｎ−２フレームの階調値によって第ｎフレームのデータがＯＤＣ変調されるように第ｎ−１フレームをブラックフレームに置き換えるのに先立ってダブリングされたデータフレームを対象でＯＤＣ変調を先に実施する。これによって、本発明に係る立体映像表示装置及びその駆動方法は、３Ｄ映像の具現時、輝度偏差の誘発なしに３Ｄクロストークを効果的に取り除くことができる。
【００１７】
さらに、本発明に係る立体映像表示装置及びその駆動方法は、４フレームインバージョン方式でデータの極性を反転させることで３Ｄ映像にＢＤＩ方式を適用する時直流化残像を画期的に減らすことができる。
【図面の簡単な説明】
【００１８】
【図１】通常のＯＤＣ技術を説明するための図である。
【図２】従来３Ｄ映像具現の時輝度偏差が発生する一例を示す図である。
【図３】本発明の実施の形態に係る立体映像表示装置の駆動方法を示す流れ図である。
【図４Ａ】３Ｄ入力フレームを左目データフレームと右目データフレームに分離する例を示す図である。
【図４Ｂ】３Ｄ入力フレームを左目データフレームと右目データフレームに分離する例を示す図である。
【図５】左目データフレームと右目データフレームをダブリングすることを示す図である。
【図６】本発明のルックアップテーブルの例を示す図である。
【図７】ダブリングされたデータフレームをＯＤＣ変調する例を示す図である。
【図８】等しいデータフレームに基づいてＯＤＣ変調された複写本データフレームをブラックフレームに置き換える例を示す図である。
【図９】本発明の実施の形態に係る効果を説明するための図である。
【図１０】本発明の実施の形態に係る立体映像表示装置を示するブロック図である。
【図１１】４フレームインバージョン方式でデータの極性が制御される例を示す図である。
【発明を実施するための形態】
【００１９】
以下に添付図面の図３乃至図１１を参照しながら、本発明の好適な実施の形態について詳細に説明する。
【００２０】
図３は、本発明の実施の形態に係る立体映像表示装置の駆動方法を示す。
【００２１】
図３を参照して、この発明に係る立体映像表示装置の駆動方法を説明する。外部のビデオソース(図示せず)から３Ｄデータが入力されれば（Ｓ１１）、図４Ａ及び図４Ｂのように３Ｄ入力フレームを左目データフレーム(Ｌ）と右目データフレーム（Ｒ)に分離する。（Ｓ１２）、図４Ａは、サイドバイサイドタイプ(side by side type)で入力される３Ｄデータが左目データフレーム(Ｌ）と右目データフレーム（Ｒ)に分離されることを示し、図４Ｂは、トップアンドボトムタイプ(top and bottom type)で入力される３Ｄデータが左目データフレーム(Ｌ）と右目データフレーム（Ｒ)に分離されることを示す。この駆動方法は、入力フレーム周波数(例えば、６０Ｈｚ)を２倍に逓倍した後、左目データフレーム(Ｌ）と右目データフレーム（Ｒ)の表示タイミングを２倍速フレーム周波数(例えば、１２０Ｈｚ)に同期させる。
【００２２】
この駆動方法は、図５のように分離した左目データフレーム(Ｌ）及び右目データフレーム（Ｒ)それぞれをメモリなどを利用したデータコピーを通じてダブリングする（Ｓ１３）。この駆動方法は２倍速フレーム周波数(例えば、１２０Ｈｚ)を２倍に逓倍した後、ダブリングされたデータフレーム（ＬＬＲＲ）の表示タイミングを４倍速フレーム周波数(例えば、２４０Ｈｚ)に同期させる。ダブリングされたデータフレーム（ＬＬＲＲ）は原本左目データフレーム(Ｌ）、複写本左目データフレーム(Ｌ）、原本右目データフレーム（Ｒ)、複写本右目データフレーム（Ｒ)を含む。この駆動方法は原本データフレーム（ＬＲ）の表示タイミングに同期してフラッグビット（ＦＬＡＧ）を第１論理で発生し、複写本データフレーム（ＬＲ）の表示タイミングに同期してフラッグビット（ＦＬＡＧ）を第２論理で発生する。
【００２３】
この駆動方法はダブリングされたデータフレーム（ＬＬＲＲ）を図６のようなルックアップテーブルを参照してＯＤＣ変調する（Ｓ１４）。ＯＤＣ変調方式は、図６のように前フレーム（Ｆｎ−１）のデータと現在フレーム（Ｆｎ）のデータを比べ、その比較結果によるデータの変化を検出しその検出結果に対応する補償値（ＯＤＣ値）をルックアップテーブルから読み出して、読み出された補償値で現在フレーム（Ｆｎ）のデータを変調する。
【００２４】
ＯＤＣ変調によって、原本左目データフレーム(Ｌ）は図７のようにその直前に配置された複写本右目データフレーム（Ｒ)に基づいて第１左目データフレーム（Ｌ´）に変調され、複写本左目データフレーム(Ｌ）は図７のようにその直前に配置された原本左目データフレーム(Ｌ）に基づいて第２左目データフレーム（Ｌ″）に変調される。また、原本右目データフレーム（Ｒ)は図７のようにその直前に配置された複写本左目データフレーム(Ｌ）に基づいて第１右目データフレーム（Ｒ´）に変調され、複写本右目データフレーム（Ｒ)は図７のようにその直前に配置された原本右目データフレーム（Ｒ)に基づいて第２右目データフレーム(Ｒ″)に変調される。
【００２５】
この駆動方法は図８のようにＯＤＣ変調された原本データフレーム、すなわち、第１左目データフレーム（Ｌ´）と第１右目データフレーム（Ｒ´）をフラッグビットの第１論理によって選択し、ＯＤＣ変調された複写本データフレーム、すなわち、第２左目データフレーム（Ｌ"）と第２右目データフレーム（Ｒ"）をフラッグビットの第２論理によってブラックフレーム（Ｂ）に置き換えることで、最終変調されたフレーム（Ｌ´ＢＲ´Ｂ）を生成する（Ｓ１５）。
【００２６】
この駆動方法は最終変調されたフレーム（Ｌ´ＢＲ´Ｂ）のデータを４フレームインバージョン方式でその極性(Polarity)を反転させて表示パネルに表示する（Ｓ１６）。
【００２７】
図９は、本発明の実施の形態に係る効果を示す。
【００２８】
図９を参照する。ブラックデータフレームである第ｎ−１フレーム（Ｆｎ−１）を間に置いて左目/右目データフレームである第ｎ−２フレーム（Ｆｎ−２）と第ｎフレーム（Ｆｎ）が配置される場合、本発明に係るＯＤＣ方式を適用した第ｎフレーム（Ｆｎ）での輝度を見れば、各フレームのターゲット輝度値が“１８０”―“０”―“１５０”の順に変わる場合（Ａ）と、“２５５”―“０”―“１５０”の順に変わる場合（Ｂ）の輝度値が皆“１５０”になることが分かる。
【００２９】
このように第ｎフレーム（Ｆｎ）で輝度偏差が無くなる理由は、第ｎ−１フレーム（Ｆｎ−１）の複写本左目データに基づいて第ｎフレーム（Ｆｎ）の原本右目データがＯＤＣ変調されるからである。
【００３０】
従来技術ではブラックフレームを挿入した以後にＯＤＣ変調を実施した。これによって、第ｎ−１フレーム（Ｆｎ−１）と第ｎフレーム（Ｆｎ）の間“０”から“１５０”にターゲット階調値が変わることに対応して第ｎフレーム（Ｆｎ）でのＯＤ値を同一に適用するしかなかった。しかし、液晶の応答特性遅延によって第ｎ−１フレーム（Ｆｎ−１）でのブラック輝度が第ｎ−２フレーム（Ｆｎ−２）のターゲット階調値によって変わるので（（Ｂ）の場合が（Ａ）の場合に比べてブラック輝度が高い)、第ｎフレーム（Ｆｎ）で同一なＯＤ値適用時（Ａ）及び（Ｂ）の場合に輝度偏差が誘発した。
【００３１】
これに対し、本発明では、ブラックフレームでの置き換えに先立ってダブリングされたデータフレームを対象にＯＤＣ変調を先に実施する。これによれば、（Ａ）の場合、第ｎ−１フレーム（Ｆｎ−１）と第ｎフレーム（Ｆｎ）の間“１８０”から“１５０”にターゲット階調値が変わることに対応して第ｎフレーム（Ｆｎ）でのＯＤ値を第１値で適用し、（Ｂ）の場合、第ｎ−１フレーム（Ｆｎ−１）と第nフレーム（Ｆｎ）の間“２５５”から“１５０”にターゲット階調値が変わることに対応し第ｎフレーム（Ｆｎ）でのＯＤ値を第２値で適用する。そして、（Ａ）及び（Ｂ）場合、それぞれの第ｎ−１フレーム（Ｆｎ−１）をブラックフレームに置き換えるようになる。ここで、第１及び第２値は、（Ａ）及び（Ｂ）場合の間輝度偏差を無くすことができる値に設定できる。輝度偏差を無くすため（Ｂ）の第２値は（Ａ）の第１値に比べて小さく設定される。
【００３２】
図１０は、本発明の実施の形態に係る立体映像表示装置を示す。
【００３３】
図１０を参照すれば、本発明の実施の形態に係る立体映像表示装置は、制御回路１０、データドライバ２０、ゲートドライバ３０、表示パネル４０、バックライトユニット５０、及び液晶シャッター眼鏡６０を備える。データドライバ２０とゲートドライバ３０はパネルドライバを構成する。
【００３４】
制御回路１０は、３Ｄデータを含む３Ｄ入力フレームを左目データフレーム(Ｌ）と右目データフレーム（Ｒ)に分離し、分離した左目データフレーム(Ｌ）及び右目データフレーム（Ｒ)それぞれをダブリングする。そして、ダブリングされたデータフレーム（ＬＬＲＲ）をＯＤＣ変調してＯＤＣ変調フレーム（Ｌ´Ｌ″Ｒ´Ｒ″）を生成した以後に同一であるデータフレームに基づいてＯＤＣ変調された複写本データフレーム（Ｌ"Ｒ")をブラックフレーム（Ｂ）に置き換え最終変調されたフレーム（Ｌ´ＢＲ´Ｂ）を生成する。また、制御回路１０は、最終変調されたフレーム（Ｌ´ＢＲ´Ｂ）のデータ極性を４フレームインバージョン方式で制御する。
【００３５】
このために、制御回路１０は、データ分離部１１、データダブリング部１２、フレームメモリ１３、データ変調部１４、ルックアップテーブル（ＬＵＴ）１５、選択部１６及びタイミング制御部１７を備える。
【００３６】
データ分離部１１は、外部のビデオソースから入力される３Ｄ入力フレームを左目データフレーム(Ｌ）と右目データフレーム（Ｒ)に分離する（Ｓ１２）。データ分離部１１は、入力フレーム周波数(例えば、６０Ｈｚ)を２倍に逓倍した後、左目データフレーム（Ｌ）と右目データフレーム（Ｒ)の表示タイミングを２倍速フレーム周波数(例えば、１２０Ｈｚ)に同期させる。
【００３７】
データダブリング部１２は、データ分離部１１から入力される左目データフレーム(Ｌ）及び右目データフレーム（Ｒ)それぞれをメモリなどを利用したデータコピーを通じてダブリングする。データダブリング部１２は、２倍速フレーム周波数(例えば、１２０Ｈｚ)を２倍に逓倍した後、ダブリングされたデータフレーム（ＬＬＲＲ）の表示タイミングを４倍速フレーム周波数(例えば、２４０Ｈｚ)に同期させる。ダブリングされたデータフレーム（ＬＬＲＲ）は、原本左目データフレーム(Ｌ）、複写本左目データフレーム(Ｌ）、原本右目データフレーム（Ｒ)、複写本右目データフレーム（Ｒ)を含む。データダブリング部１２は、原本データフレームの表示タイミングに同期してフラッグビット（ＦＬＡＧ）を第１論理で発生し、複写本データフレームの表示タイミングに同期してフラッグビット（ＦＬＡＧ）を第２論理で発生する。
【００３８】
フレームメモリ１３は、データダブリング部１２から入力されるダブリングされたデータフレーム（ＬＬＲＲ）を一フレーム期間ずつ貯蔵する。
【００３９】
ルックアップテーブル１５は、第ｎフレーム（Ｆｎ）（すなわち、現在フレーム)と第ｎ−１フレーム（Ｆｎ−１）（すなわち、前フレーム)の間のデータ比較を通じて選択される補償値を貯蔵する。ルックアップテーブル１５の補償値は、液晶の応答特性を向上させることと共に輝度偏差を無くすために実験を通じて予め決まる。ルックアップテーブル１５の補償値は、立体映像表示装置に電源印加時ごとに外部のＥＥＰＲＯＭからローディングされる。ＥＥＰＲＯＭに貯蔵された補償値は使用者によって更新される。
【００４０】
データ変調部１４は、データダブリング部１２から現在フレーム（Ｆｎ）のデータを入力受けることと共にフレームメモリ１３から前フレーム（Ｆｎ−１）のデータの入力を受ける。データ変調部１４は、前フレーム（Ｆｎ−１）のデータと現在フレーム（Ｆｎ）のデータを比べ、その比較結果によるデータの変化を判断してその判断結果に対応する補償値（ＯＤＣ値）をルックアップテーブル１５から読み出して、読み出された補償値で現在フレーム（Ｆｎ）のデータを変調する。ＯＤＣ変調によって、原本左目データフレーム(Ｌ）はその直前に配置された複写本右目データフレーム（Ｒ)に基づいて第１左目データフレーム(Ｌ´)に変調され、複写本左目データフレーム(Ｌ）はその直前に配置された原本左目データフレーム(Ｌ）に基づいて第２左目データフレーム（Ｌ")に変調される。また、原本右目データフレーム（Ｒ)はその直前に配置された複写本左目データフレーム(Ｌ）に基づいて第１右目データフレーム（Ｒ´）に変調され、複写本右目データフレーム（Ｒ)はその直前に配置された原本右目データフレーム（Ｒ)に基づいて第２右目データフレーム(Ｒ")に変調される。
【００４１】
選択部１６は、データダブリング部１２から入力されるフラッグビット（ＦＬＡＧ）に基づいてデータ変調部１４でＯＤＣ変調された複写本データフレームをブラックフレーム（Ｂ）に置き換える。選択部１６は、フラッグビット（ＦＬＡＧ）の第１論理に応答してデータ変調部１４でＯＤＣ変調された原本データフレーム、すなわち、第１左目データフレーム（Ｌ´)と第１右目データフレーム（Ｒ´）を選択し、フラッグビット（ＦＬＡＧ）の第２論理に応答してデータ変調部１４でＯＤＣ変調された複写本データフレーム、すなわち、第２左目データフレーム（Ｌ"）と第２右目データフレーム（Ｒ")をブラックフレーム（Ｂ）に置き換えることで、最終変調されたフレーム（Ｌ´ＢＲ´Ｂ）を生成する。そして、最終変調されたフレーム（Ｌ´ＢＲ´Ｂ）をデータドライバ２０に出力する。
【００４２】
タイミング制御部１７は、外部から入力されるタイミング信号(垂直同期信号（Ｖｓｙｎｃ）、水平同期信号（Ｈｓｙｎｃ)、データイネーブル信号（ＤＥ）、ドットクロック（ＤＣＬＫ）など)に基づいてデータドライバ２０とゲートドライバ３０の動作タイミングを制御するためのタイミング制御信号（ＤＤＣ、ＧＤＣ）を発生する。データタイミング制御信号（ＤＤＣ）は、ソーススタートパルス（ＳＳＰ）、ソースシフトクロック（ＳＳＣ）、ソース出力イネーブル信号（ＳＯＥ）、極性制御信号（ＰＯＬ）などを含む。ゲートタイミング制御信号（ＧＤＣ）は、ゲートスタートパルス（ＧＳＰ)、ゲートシフトクロック（ＧＳＣ）、ゲート出力イネーブル信号（ＧＯＥ）などを含む。タイミング制御部１７は、逓倍されたフレーム周波数に同期されるようにデータタイミング制御信号（ＤＤＣ）とゲートタイミング制御信号(ＧＤＣ)を逓倍することができる。タイミング制御部１７は、逓倍されたフレーム周波数を基準にバックライトユニット５０の点消灯タイミングを制御するための光源制御信号（ＣＢＬ）を発生する。タイミング制御部１７は、逓倍されたフレーム周波数を基準に液晶シャッター眼鏡６０の開閉タイミングを制御するためのシャッター制御信号（ＣＳＴ）を発生する。
【００４３】
データドライバ２０は、データ制御信号（ＤＤＣ）に応答し制御回路１０から入力される最終変調フレーム（Ｌ´ＢＲ´Ｂ）の３Ｄデータをアナログ信号に変換すると共に、図１１のように４フレームインバージョン方式でアナログ信号の極性(Ｐｏｌ)を反転させ表示パネル４０のデータラインに供給する。このように、４フレームインバージョン方式でデータの極性（Ｐｏｌ）を反転させる理由は直流化残像を無くすためである。直流電圧が長期間印加されれば、液晶に印加される電界の極性にしたがって負電荷を帯びたイオンが同一の動きベクトル方向に移動して正電荷を帯びたイオンがその反対方向の動きベクトル方向に移動しながら分極化され、時間が経つにつれて負電荷を帯びたイオンの蓄積量と正電荷を帯びたイオンの蓄積量が増加する。イオンの蓄積量が増加しつつ配向膜が劣化し、その結果、液晶の配向特性が劣化する。これによって、液晶表示装置に直流電圧が長期間印加されれば、表示画像で染みが現われてその染みが時間が経つほど大きくなる。染みは温度が高いとか同一極性の直流電圧が液晶層に印加される時間が長いほど早く現われてそれ程度もひどくなる。このような直流化残像は本発明のようにＢＤＩを適用しながらデータの極性（Ｐｏｌ）を１フレーム周期または２フレーム周期に反転させる場合さらに問題になる。図１２の極性変化から分かるように、１フレームインバージョン方式による場合左目データフレーム(Ｌ´)でのデータ極性と右目データフレーム（Ｒ´）でのデータ極性は続いて（＋）にだけ維持され直流化残像が大きくなる。また、２フレームインバージョン方式による場合、左目データフレーム(Ｌ´)でのデータ極性は続いて（＋）にだけ維持され、右目データフレーム（Ｒ´）でのデータ極性は続いて（−）にだけ維持され直流化残像が深くなる。一方、本発明のように４フレームインバージョン方式による場合、左目データフレーム(Ｌ´)でのデータ極性と右目データフレーム（Ｒ´）でのデータ極性は４フレーム期間を周期で反転されるので直流化残像が画期的に減る。
【００４４】
ゲートドライバ３０は、ゲート制御信号（ＧＤＣ）に応答してスキャンパルスを発生した後表示パネル４０のゲートラインに順次供給する。
【００４５】
表示パネル４０は、二枚のガラス基板とこれらの間に形成された液晶層を含む。表示パネル４０の下部ガラス基板には複数のデータライン、このデータラインとそれぞれ交差される複数のゲートラインが形成される。このような信号ラインの交差構造によって表示パネル４０には液晶セルがマトリックス状に配置される。表示パネル４０の上部ガラス基板上には、ブラックマットリックス、カラーフィルタ及び液晶セルの共通電極が形成される。共通電極は、ＴＮ(Twisted Nematic)モードとＶＡ(Vertical Alignment)モードのような垂直電界駆動方式で上部ガラス基板上に形成され、ＩＰＳ(In Plane Switching)モードとＦＦＳ(Fringe Field Switching)モードのような水平電界駆動方式で画素電極１と共に下部ガラス基板上に形成される。表示パネル４０の上部ガラス基板と下部ガラス基板それぞれには偏光板が附着し液晶と接する内面に液晶のプレチルト角を設定するための配向膜が形成される。
【００４６】
バックライトユニット５０は、光源ドライバ(図示せず)から供給される駆動電力によって点灯する複数の光源、導光板(または拡散板)、複数の光学シートなどを含む。バックライトユニット５０は、直下型(direct type)またはエッジ型(edge type)で実現される。光源は、ＨＣＦＬ(Hot Cathode Fluorescent Lamp)、ＣＣＦＬ(Cold Cathode Fluorescent Lamp)、ＥＥＦＬ(External Electrode Fluorescent Lamp)、ＬＥＤ(Light Emitting Diode)のうち何れか一種類または二つの種類以上を含む。このようなバックライトユニット５０は、立体映像表示装置が反射型モードで具現される場合省略される。
【００４７】
液晶シャッター眼鏡６０は、３Ｄモードで駆動され、電気的に個別制御される左目シャッター（ＳＴＬ）と右目シャッター（ＳＴＲ）を備える。左目シャッター（ＳＴＬ）と右目シャッター（ＳＴＲ）それぞれは、第１透明基板、第１透明基板上に形成された第１透明電極、第２透明基板、第２透明基板上に形成された第２透明電極、第１及び第２透明基板の間に形成された液晶層を含む。第１透明電極には基準電圧が供給され、第２透明電極にはＯＮ／ＯＦＦ電圧が供給される。左目シャッター（ＳＴＬ）と右目シャッター（ＳＴＲ）それぞれは、シャッター制御信号（ＣＳＴ）に応答して第２透明電極にＯＮ電圧が供給される時、表示パネル４０からの光を透過させる一方、第２透明電極にＯＦＦ電圧が供給される時、表示パネルからの光を遮断する。左目シャッター（ＳＴＬ）は、表示パネル４０に左目データフレーム(Ｌ´)が表示される期間を含む第１期間内で開放され、右目シャッター（ＳＴＲ）は、表示パネル４０に右目データフレーム（Ｒ´）が表示される第２期間内で開放される。
【００４８】
以上説明した内容を通じて当業者であれば、本発明の技術思想を逸脱しない範囲内で多様な変更及び修正が可能することが分かる。したがって、本発明は、詳細な説明に記載した内容に限定されるのではなく、特許請求の範囲によって決められなければならない。
【符号の説明】
【００４９】
１１  データ分離部
１２  データダブリング部
１３  フレームメモリ
１４  データ変調部
１６  選択部
１７  タイミング制御部
２０  データドライバ
３０  ゲートドライバ
４０  表示パネル
５０  バックライトユニット
【図１】
0005364686.tif 000002
【図２】
0005364686.tif 000003
【図３】
0005364686.tif 000004
【図４Ａ】
0005364686.tif 000005
【図４Ｂ】
0005364686.tif 000006
【図５】
0005364686.tif 000007
【図６】
0005364686.tif 000008
【図７】
0005364686.tif 000009
【図８】
0005364686.tif 000010
【図９】
0005364686.tif 000011
【図１０】
0005364686.tif 000012
【図１１】
0005364686.tif 000013